(57)【要約】【課題】クリアを有するオブジェクトの色を変化させることなく、そのものの色で視認でき、また、クリアの彩色領域も視認可能とする。【解決手段】作成部が、特色単体の第１特色オブジェクトの作成、及び、プロセスカラーの特色オブジェクトに第１特色オブジェクトを積層して形成される第２特色オブジェクトを作成する。設定部は、少なくとも表示時における、第１特色オブジェクトを表示するための色であり、視認可能な第１の表示色、及び、第２特色オブジェクトを表示するための色であり、第１の表示色及びプロセスカラーとは異なり、視認可能な第２の表示色を設定する。【選択図】図１０
2020154177.tif 000002
【特許請求の範囲】
【請求項１】
特色単体の第１特色オブジェクトの作成、及び、プロセスカラーの特色オブジェクトに前記第１特色オブジェクトを積層して形成される第２特色オブジェクトを作成する作成部と、
少なくとも表示時における、前記第１特色オブジェクトを表示するための色であり、視認可能な第１の表示色、及び、前記第２特色オブジェクトを表示するための色であり、前記第１の表示色及び前記プロセスカラーとは異なり、視認可能な第２の表示色を設定する設定部と、
を有する表示処理装置。
【請求項２】
前記第１特色オブジェクト、及び、前記第２特色オブジェクトを、それぞれ異なる特色名で管理する管理部を有すること
を特徴とする請求項１に記載の表示処理装置。
【請求項３】
前記管理部は、印刷時又は保存時において、それぞれ異なる特色名とした、前記第１特色オブジェクト及び前記第２特色オブジェクトの各特色名を、印刷又は保存で取り扱い可能な特色名に変更し、印刷又は保存完了後に、変更した特色名を、再度、異なる特色名に変更すること
を特徴とする請求項２に記載の表示処理装置。
【請求項４】
前記設定部は、前記第１の表示色及び前記第２の表示色を、プロセスカラーの混合割合で設定すること
を特徴とする請求項１から請求項３のうち、いずれか一項に記載の表示処理装置。
【請求項５】
前記プロセスカラーの特色オブジェクトの色は、擬似金色又は擬似銀色であること
を特徴とする請求項１から請求項４のうち、いずれか一項に記載の表示処理装置。
【請求項６】
前記第１特色オブジェクトは、クリアであること
を特徴とする請求項１から請求項５のうち、いずれか一項に記載の表示処理装置。
【請求項７】
作成部が、特色単体の第１特色オブジェクトの作成、及び、プロセスカラーの特色オブジェクトに前記第１特色オブジェクトを積層して形成される第２特色オブジェクトを作成する作成ステップと、
設定部が、少なくとも表示時における、前記第１特色オブジェクトを表示するための色であり、視認可能な第１の表示色、及び、前記第２特色オブジェクトを表示するための色であり、前記第１の表示色及び前記プロセスカラーとは異なり、視認可能な第２の表示色を設定する設定ステップと、
を有する表示処理方法。
【請求項８】
コンピュータを、
特色単体の第１特色オブジェクトの作成、及び、プロセスカラーの特色オブジェクトに前記第１特色オブジェクトを積層して形成される第２特色オブジェクトを作成する作成部と、
少なくとも表示時における、前記第１特色オブジェクトを表示するための色であり、視認可能な第１の表示色、及び、前記第２特色オブジェクトを表示するための色であり、前記第１の表示色及び前記プロセスカラーとは異なり、視認可能な第２の表示色を設定する設定部として機能させること、
を特徴とする表示処理プログラム。
【発明の詳細な説明】
【技術分野】
【０００１】
本発明は、表示処理装置、表示処理方法及び表示処理プログラムに関する。
【背景技術】
【０００２】
今日において、プロセスカラー（ＣＭＹＫ：シアン、マゼンタ、イエロー、キープレート（又はブラック））、及び、特色のクリアトナーを用いて、疑似的な金色又は銀色（以下、擬似金銀という）の彩色をオブジェクトに対して施す技術が知られている。
【０００３】
「特色」は、印刷においてプロセスカラー（ＣＭＹＫ：シアン、マゼンタ、イエロー、キープレート（又はブラック））では再現困難な色を印刷するために、予め調合（調色）された色である。特色としては、例えばクリア、白、蛍光色、金色、銀色、及び、メタリックレッド等のメタリックカラー等が知られている。
【０００４】
特許文献１（特開２０１３−２４６３３２号公報）には、透明色のクリアトナーの塗布位置を確認し易くした画像形成装置が開示されている。この画像形成装置は、有色トナー用の画像データ及びクリアトナーフォームデータに基づいてクリアトナー用の画像データを生成する。そして、有色トナー用の画像データに基づく有色トナー画像と、クリアトナー用の画像データにおけるクリアトナー塗布位置の画素の色を、有色トナー画像における画素の色とは異なる色で表示したクリアトナー確認用画像とを交互に切り替えてプレビュー画像として表示部に表示する。これにより、透明色のクリアトナーの塗布位置を確認し易くすることができる。
【発明の概要】
【発明が解決しようとする課題】
【０００５】
ここで、特色のクリアは単体でも使用することができる。ただ、クリアは透明色で視認困難であるため、プレビュー時において、例えば青色等の指定された色でクリアの彩色領域を表示可能となっている。
【０００６】
しかし、擬似金銀オブジェクトがクリアで彩色されている場合において、青色等に彩色してクリアの彩色領域を表示すると、擬似金銀オブジェクトが青色で表示され、擬似金銀の色には見えないという不都合を生ずる。
【０００７】
本発明は、上述の課題に鑑みてなされたものであり、クリアを有するオブジェクトの色を変化させることなく、そのものの色で視認でき、また、クリアの彩色領域も視認可能とすることができるような表示処理装置、表示処理方法及び表示処理プログラムの提供を目的とする。
【課題を解決するための手段】
【０００８】
上述した課題を解決し、目的を達成するために、本発明は、特色単体の第１特色オブジェクトの作成、及び、プロセスカラーの特色オブジェクトに第１特色オブジェクトを積層して形成される第２特色オブジェクトを作成する作成部と、少なくとも表示時における、第１特色オブジェクトを表示するための色であり、視認可能な第１の表示色、及び、第２特色オブジェクトを表示するための色であり、第１の表示色及びプロセスカラーとは異なり、視認可能な第２の表示色を設定する設定部と、を有する。
【発明の効果】
【０００９】
本発明によれば、クリアを有するオブジェクトの色を変化させることなく、そのものの色で視認でき、また、クリアの彩色領域も視認可能とすることができるという効果を奏する。
【図面の簡単な説明】
【００１０】
【図１】図１は、実施の形態の表示処理装置のハードウェア構成部である。
【図２】図２は、実施の形態の表示処理装置の機能ブロック図である。
【図３】図３は、擬似金銀色の特色オブジェクトの一例を示す図である。
【図４】図４は、印刷工程の流れを示すフローチャートである。
【図５Ａ】図５Ａは、工程毎の印刷物の一部を拡大して示す図である。
【図５Ｂ】図５Ｂは、工程毎の印刷物の一部を拡大して示す図である。
【図５Ｃ】図５Ｃは、工程毎の印刷物の一部を拡大して示す図である。
【図５Ｄ】図５Ｄは、工程毎の印刷物の一部を拡大して示す図である。
【図５Ｅ】図５Ｅは、工程毎の印刷物の一部を拡大して示す図である。
【図５Ｆ】図５Ｆは、工程毎の印刷物の一部を拡大して示す図である。
【図６】図６は、特色オブジェクトの一例を示す図である。
【図７】図７は、比較例となる表示処理装置において、クリアの特色オブジェクトと擬似金オブジェクトを配置した場合のオブジェクト構成を示す図である。
【図８】図８は、比較例の特色オブジェクトの表示形態を示す図である。
【図９】図９は、比較例の特色オブジェクトの表示形態を示す図である。
【図１０】図１０は、実施の形態の表示処理装置において、クリアの特色オブジェクトと擬似金オブジェクトを配置した場合のオブジェクト構成を示す図である。
【図１１】図１１は、実施の形態の表示処理装置における、オブジェクト色変更画面の一例を示す図である。
【図１２】図１２は、実施の形態の表示処理装置における、クリアの表示色設定画面の一例を示す図である。
【図１３】図１３は、実施の形態の表示処理装置における、特色オブジェクトの表示形態を示す図である。
【図１４】図１４は、実施の形態の表示処理装置における、特色オブジェクトの表示形態を示す図である。
【図１５】図１５は、実施の形態の表示処理装置における印刷前後のクリアの特色名の変更動作を説明するための図である。
【図１６】図１６は、実施の形態の表示処理装置の動作の流れを示すシーケンス図である。
【発明を実施するための形態】
【００１１】
以下、添付図面を参照して、実施の形態の表示処理装置の説明をする。
【００１２】
（表示処理装置の構成）
図１は、実施の形態の表示処理装置のハードウェア構成を示すブロック図である。この図１に示すように、表示処理装置は、ＣＰＵ（Center  Processing  Unit）１、ＶＲＡＭ（Video  Random  Access  Memory）２、ＲＡＭ（Random  Access  Memory）３、ハードディスクドライブ（ＨＤＤ）４、入出力インタフェース（Ｉ／Ｏ）５を有している。ＣＰＵ１〜入出力インタフェース５は、それぞれバスラインを介して相互に接続されている。また、入出力インタフェース５には、表示部、及び、マウス装置、キーボード装置等の入力デバイス７が接続されている。
【００１３】
ＨＤＤ４には、特色の一つであるクリアの彩色領域を視認でき、また、クリアの彩色が施されていてもオブジェクトの色を視認できるような表示処理を可能とする表示処理プログラム８と、オブジェクトの表示を行う表示アプリケーションプログラム（ビューア）９とが記憶されている。また、ＨＤＤ４には、各オブジェクトと、各オブジェクトに施されている彩色を示す情報とが関連付けされて記憶されるコンテナ１０が記憶されている。
【００１４】
なお、「特色」とは、印刷においてプロセスカラー（ＣＭＹＫ：シアン、マゼンタ、イエロー、キープレート（又はブラック））以外の色（再現困難な色）を印刷するために、予め調合（調色）されたトナーである。特色トナーとしては、例えばクリアトナー、白トナー、蛍光色トナー、金色トナー、銀色トナー、及び、メタリックレッド、インビジブルレッド等のメタリックカラートナー等が知られている。
【００１５】
（表示処理装置の機能）
図２は、表示処理装置のＣＰＵ１が、ＨＤＤ４に記憶されている表示処理プログラム８を実行することで実現される各機能の機能ブロック図である。ＣＰＵ１は、表示処理プログラム８を実行することで、この図２に示すように、入力処理部１１、記憶制御部１２、表示制御部１３の各機能を実現する。入力処理部１１は、入力デバイス７を介して行われるユーザの入力操作を処理する。記憶制御部１２は、ユーザにより作成された特色オブジェクト、及び、クリアの特色に対して指定された色を示す情報等を、ＨＤＤ４等の記憶部のコンテナ１０に対して記憶及び読み出し制御する。
【００１６】
また、表示制御部１３は、設定部の一例である表示色設定部１４、作成部の一例である特色オブジェクト作成部１５及び管理部の一例である特色オブジェクト名管理部１６の各機能を有している。表示色設定部１４は、クリア単体のオブジェクト（特色単体の第１特色オブジェクトの一例）に対して施す色、及び、クリアが施されているオブジェクトにおける、クリアに施す色を設定する。特色オブジェクト作成部１５は、例えばプロセスカラー（ＣＭＹＫ：シアン、マゼンタ、イエロー、キープレート（又はブラック））、及び、特色のクリアトナーを用いて、疑似的な金色又は銀色（以下、擬似金銀という）の彩色を施したオブジェクト等の特色オブジェクト（第２の特色オブジェクトの一例）を作成する。特色オブジェクト名管理部１６は、クリア単体のオブジェクト名、及び、クリアが施されているオブジェクトのオブジェクト名を管理する。
【００１７】
（疑似的な金属色の印刷）
ここで、擬似金銀等の疑似的な金属色の印刷物の印刷は、以下のように行われる。図３は、印刷を行うポスターのプレビュー画面の一例である。図４は、印刷工程の流れを示すフローチャートである。図５Ａ〜図５Ｆは、工程毎の印刷物の一部を拡大して示す図である。なお、一例ではあるが、印刷物は、６００ｄｐｉの解像度で印刷されることとする。
【００１８】
一例ではあるが、図３に示す印刷物は、ポスター２００となっており、文字領域２１０及びその周囲の縁部２２０を有している。縁部２２０には、装飾用の所定の図柄が金色で描かれる。
【００１９】
すなわち、まず、図５Ａに示すように、ＣＰＵ１は、記録媒体２５０上で有彩色の金属光沢を表現する金属光沢領域の範囲及び色を特定する（ステップＳ２１０）。例えば、ＣＰＵ１は、装飾用の図柄の範囲２５１を特定し、その色として金色を特定する。金色の図柄を描く場合、例えば、「Ｃ：０％、Ｍ：１２％、Ｙ：５７％、Ｋ：６％、ＣＬ：１００％」を設定する。ここで、「ＣＬ」はクリアの階調値である。
【００２０】
次に、ＣＰＵ１は、印刷データを作成する（ステップＳ２２０）。この印刷データの作成は、まず、金色を構成する有彩色成分であるシアン（Ｃ）、マゼンタ（Ｍ）、イエロー（Ｙ）のうち、イエロー（Ｙ）を選択する（ステップＳ２２１）。Ｙ以外の有彩色成分を選択してもよいが、Ｃ、Ｍ及びＹのうちで最も金の光沢色に近いＹを選択することが好ましい。Ｋは無彩色であるため、選択の対象外である。図５Ｂに示すように、Ｙのパターン２６０は、範囲２５１と一致する。
【００２１】
次に、ＣＰＵ１は、Ｙのパターン２６０を２値化する（ステップＳ２２２）。ここでは、図５Ｃに示すように、Ｙの階調値が０％の部分２６１とＹの階調値が１００％の部分２６２との面積比を２：１とすることを前提に、暫定的にＹの階調値を３３％に変更したうえで、２値化処理を行ってＹの２値化パターン２６３を作成する。部分２６１と部分２６２との面積比を３：１、３：２又は１：１等としてもよい。
【００２２】
次に、ＣＰＵ１は、図５Ｄに示すように、クリア（ＣＬ）の階調値の部分２６２と重なる部分２７２の階調値を１００％から０％に変更し、ＣＬの階調値の部分２６１と重なる部分２７１の階調値は１００％のままとする。このようにして、部分２６１と重なる部分２７１に１００％のクリア階調値を設定し、部分２６２と重なる部分２７２に０％のクリア階調値を設定したクリアトナー層用データが作成される（ステップＳ２２３）。
【００２３】
次に、ＣＰＵ１は、図５Ｅに示すように、部分２６１のＹの階調値を０％から３６％へと変更する。平面視で有彩色トナー層１２０の２／３を第１の有彩色領域１２１とし、１／３を第２の有彩色領域１２２とし、第２の有彩色領域１２２のＹの階調値を１００％としながら、金属光沢領域全体におけるＹの階調値の平均値を２値化前の階調値に近づけるためである。
【００２４】
すなわち、２値化を行ったままであると、金属光沢領域全体におけるＹの階調値の平均値は３３％であるが、階調値を３６％に変更することで。Ｙの階調値の平均値を約５７％とすることができる。このようにして、Ｙの金属光沢領域全体における階調値の平均値が２値化の前の階調値に近づくように変更した有彩色トナー層用データが作成される（ステップＳ２２４）。平均値を２値化前の階調値に近づけるためだけであれば、部分２６１の階調値を変更せずに部分２６２の階調値を変更してもよく、部分２６１及び部分２６２の両方の階調値を変更してもよい。ただし、高彩度を得ながら平均値を２値化前の階調値に近づけるためには、暫定的に０％とした部分２６１の階調値のみを変更することが好ましい。
【００２５】
このようにして、印刷データが作成される（ステップＳ２２０）。なお、ステップＳ２２１で選択したＹ以外の有色（Ｃ、Ｍ及びＫ）については、ステップＳ２１０で特定された階調値をそのまま用いる。従って、この印刷データにおいて、第１の有彩色領域１２１の階調値は「Ｃ：０％、Ｍ：１２％、Ｙ：３６％、Ｋ：６％」であり、第２の有彩色領域１２２の階調値は「Ｃ：０％、Ｍ：１２％、Ｙ：１００％、Ｋ：６％」である。また、第１の領域１３１の階調値は「ＣＬ：１００％」であり、第２の領域１３２の階調値は「ＣＬ：０％」である。
【００２６】
印刷データの作成の後、画像形成装置を用いて、印刷データに基づいて、記録媒体２５０上に有彩色トナー層を形成し（ステップＳ２３１）、有彩色トナー層上にクリアトナー層を形成する（ステップＳ２３２）。この結果、図５Ｆに示すように、第１の有彩色領域１２１と第１の領域１３１とが重なった領域２８１及び第２の有彩色領域１２２と第２の領域１３２とが重なった領域２８２からなる図柄２８３が記録媒体２５０上に印刷される（ステップＳ２３０）。そして、図３に示すように、擬似的な金色の金属光沢を有する円環状の図柄を印刷したポスター２００を得ることができる。
【００２７】
なお、２値化パターンは１方向に２種類の領域が並ぶパターンに限定されず、互いに直行する２方向に２種類の領域が並ぶパターンであってもよい。すなわち、２値化パターンが格子状のパターンであってもよい。
【００２８】
（オブジェクト構成の差異）
次に、図６に例示するような星形のオブジェクトＡ、円形のオブジェクトＢ及び四角形状のオブジェクトＣを印刷する場合を例として、比較例及び実施の形態の表示処理装置のオブジェクト構成の差異を説明する。
【００２９】
（比較例のオブジェクト構成）
図７は、比較例となる表示処理装置において、クリアの特色オブジェクトと擬似金オブジェクトを配置した場合のオブジェクト構成を示す図である。図７（ａ）及び図７（ｂ）に示すように、ユーザがオブジェクトＡに対してクリア（Clear）の特色オブジェクトＡを作成すると共に、図７（ｃ）に示すようにオブジェクトＢを擬似金オブジェクトに色変更したとする。この場合、オブジェクトＢを擬似金オブジェクトＢに変更することで、クリア（Clear）の特色オブジェクトＢが用いられることとなる。
【００３０】
この場合、特色オブジェクトＡ及び特色オブジェクトＢは、同じ「クリア（Clear）」という特色名である。このため、クリアの特色オブジェクトを、例えば図８（ａ）に示すように青色で表示指定した場合、図８（ｂ）に示すように星形のオブジェクトＡ及び円形のオブジェクトＢが、それぞれ同じ青色でモニタ表示される。すなわち、図９（ａ）に示すようにクリアの特色オブジェクトは、設定された青色で表示され、擬似金のオブジェクトは、図９（ｂ）に示すように、擬似金上を青色のクリアで被覆した色味で表示される。これにより、擬似金で彩色された円形のオブジェクトＢは、擬似金と青が混ざった色味でモニタ表示され、最終的な印刷物の色合いをイメージし難いという不都合を生ずる。
【００３１】
（実施の形態のオブジェクト構成）
これに対して、図１０は、実施の形態の表示処理装置において、クリアの特色オブジェクトと擬似金オブジェクトを配置した場合のオブジェクト構成を表したものである。図１０（ａ）及び図１０（ｂ）に示すように、ユーザがオブジェクトＡに対してクリアの特色オブジェクトＡを作成し、オブジェクトＢを擬似金オブジェクトに色変更したとする。
【００３２】
擬似金オブジェクトへの色変更操作は、例えば図１１に示すオブジェクト色変更画面に基づいて行われるようになっている。すなわち、ユーザにより入力デバイス７及び入力処理部１１を介してオブジェクトの色変更が指定されると、特色オブジェクト作成部１５は、例えば図１１に示すオブジェクト色変更画面をモニタ表示する。
【００３３】
このオブジェクト色変更画面は、プルダウンメニューに基づいて、クリア（Clear）の特色オブジェクト、白色（White）の特色オブジェクト、擬似金色（Gold  effect  with  Clear  toner）の特色オブジェクト、及び、擬似銀色（Silver  effect  with  Clear  toner）の特色オブジェクト等を選択指定可能となっている。ユーザは、このオブジェクト色変更画面に基づいて、所望の特色オブジェクト（この例の場合は、擬似金色の特色オブジェクト）を選択操作する。
【００３４】
次に、ユーザは、図１２に示すクリア表示色設定画面において、特色オブジェクトＡのクリア単体の表示色（第１の表示色の一例）、及び、擬似金の特色オブジェクトＢに用いられているクリアの表示色（第２の表示色の一例）を、それぞれ設定する。一例ではあるが、各クリアの色は、それぞれＣＭＹＫの各色の混合割合（％）を指定することで、所望の色を指定可能となっている。このため、ユーザは、各クリアの色を、それぞれＣＭＹＫの各色の混合割合（％）で、所望の色であり、それぞれ異なる色を指定する。
【００３５】
一例ではあるが、ユーザは、例えば特色オブジェクトＡのクリア単体の表示色が青色となるように、ＣＭＹＫの各色の混合割合（％）を指定すると共に、擬似金の特色オブジェクトＢに用いられているクリアの表示色が無色透明となるように、ＣＭＹＫの各色の混合割合（％）を指定する。特色オブジェクト名管理部１６は、特色オブジェクトＡのクリア単体の表示色に対応するＣＭＹＫの各色の混合割合（％）を、図１０（ｂ）及び図１０（ｃ）に示すように「第１のクリア（Clear１）」の特色名に関連付けて、ＲＡＭ３等の記憶部に一時的に記憶する。また、特色オブジェクト名管理部１６は、擬似金の特色オブジェクトＢのクリアの表示色に対応するＣＭＹＫの各色の混合割合（％）を、図１０（ｃ）に示すように「第２のクリア（Clear２）」の特色名に関連付けてＲＡＭ３等の記憶部に、一時的に記憶する。
【００３６】
このように、各クリアの特色オブジェクトに対してそれぞれ異なる色が設定され、また、異なる特色名が付与されると、表示制御部１３は、図１３（ａ）に示すように特色オブジェクトＡに対して、「第１のクリア（Clear１）」の名称で設定されている青色のクリアによる彩色を施してモニタ表示する。また、表示制御部１３は、図１３（ａ）に示すように、擬似金の特色オブジェクトＢに対して、「第２のクリア（Clear２）」の名称で設定されている無色透明のクリアの彩色を施した擬似金の特色オブジェクトをモニタ表示する。これにより、図１３（ｂ）に示すように、クリア単体のオブジェクトである星形の特色オブジェクトＡを青色に彩色して表示すると共に、円形の擬似金の特色オブジェクトＢ」を、擬似金の色味で表示することができる。
【００３７】
すなわち、第１のクリア（Clear１）は、例えば青色に設定されているため、星形の特色オブジェクトＡは、図１４（ａ）に示すように、青色でモニタ表示される。これに対して、第２のクリア（Clear２）は、例えば無色透明（又は、高い透明度で、擬似金を擬似金として視認可能な極めて薄い色）に設定されている。このため、円形の特色オブジェクトＢは、図１４（ｂ）に示すように無色透明の第２のクリア（Clear２）に邪魔されることなく、擬似的な金色に発色する特色オブジェクトＢをモニタ表示することができる。
【００３８】
（印刷時及び保存時の対応）
一方、このような「第１のクリア（Clear１）」及び「第２のクリア（Clear２）」の名称の情報は、表示処理装置側で取扱う情報である。このようにクリア（Clear）の特色オブジェクトを、「第１のクリア（Clear１）」及び「第２のクリア（Clear２）」で異なる特色名とすると、印刷時において印刷装置側でクリアの特色オブジェクトを認識困難となり、印刷に不具合を生ずる。
【００３９】
このため、実施の形態の表示処理装置の特色オブジェクト名管理部１６は、印刷時又は保存時において、図１５（ａ）に示すように、特色オブジェクトＡに付されている「第１のクリア（Clear１）」の特色名、及び、特色オブジェクトＢに付されている「第２のクリア（Clear２）」の特色名を、図１５（ｂ）に示すように、一時的に、両方とも「クリア（Clear）」の、元の特色名に戻す。これにより、印刷時において印刷装置側でクリアの特色オブジェクトを認識でき、正常な印刷を可能とすることができる。
【００４０】
そして、特色オブジェクト名管理部１６は、このような印刷又は保存が完了すると、一時的に「クリア（Clear）」に戻した各オブジェクトＡ，Ｂの特色名を、図１５（ｃ）に示すように、再度、「第１のクリア（Clear１）」及び「第２のクリア（Clear２）」の特色名に戻してモニタ表示を行う。
【００４１】
これにより、良好な印刷を可能とすることができると共に、擬似金等のクリアを用いた特色のモニタ表示も、その特色の色味で表示することができる。
【００４２】
（実施の形態の動作）
次に、図１６のシーケンス図を用いて、実施の形態の表示処理装置における、上述の各動作の流れを説明する。まず、ユーザは、入力デバイス７を操作して、所望の特色オブジェクトの作成要求を行う（ステップＳ１１）。特色オブジェクト作成部１５は、この作成要求を受信すると、第１のクリア（Clear１）の特色名のコンテナ１０をＨＤＤ４内に作成する（ステップＳ１２）。そして、特色オブジェクト作成部１５は、第１のクリア（Clear１）の特色名のコンテナ１０内に、クリアの特色名を第１のクリアとした特色オブジェクトを作成する（ステップＳ１３）。
【００４３】
次に、ユーザは、入力デバイス７を操作して、擬似金の特色オブジェクトの作成要求を行う（ステップＳ１４）。特色オブジェクト作成部１５は、この作成要求を受信すると、第２のクリア（Clear２）の特色名のコンテナ１０をＨＤＤ４内に作成する（ステップＳ１５）。
【００４４】
また、特色オブジェクト作成部１５は、第２のクリア（Clear２）の特色名のコンテナ１０内に、擬似金の特色オブジェクトに対して施すための、特色名を第２のクリアとした特色オブジェクトを作成する（ステップＳ１６）。また、特色オブジェクト作成部１５は、第２のクリア（Clear２）の特色名のコンテナ１０内に、プロセスカラー（ＣＭＹＫ）を用いて、擬似金の特色オブジェクトを作成する（ステップＳ１７）。
【００４５】
これにより、第１のクリアに設定された例えば青色で、特色名が第１のクリアとされた特色オブジェクトがモニタ表示される。また、第２のクリアに対して例えば無色透明が設定された場合、この無色透明のクリアの特色オブジェクトを介して、擬似金の特色オブジェクトがモニタ表示される。このため、擬似金は、擬似金の色の特色オブジェクトをモニタ表示することができる。
【００４６】
次に、ユーザから入力デバイス７を介して行われた印刷要求又は保存要求は、ビューア９に供給される（ステップＳ２０）。ビューア９は、印刷要求又は保存要求を受信すると、特色オブジェクト名管理部１６に対して、ユーザから印刷要求又は保存要求がされたことを示す印刷／保存前イベント通知を行う（ステップＳ２１）。
【００４７】
特色オブジェクト名管理部１６は、この印刷／保存前イベント通知を受信すると、上述のように第１のクリア（Clear１）及び第２のクリア（Clear２）の特色名を付した特色オブジェクトを、それぞれクリア（Clear）の特色名の特色オブジェクトに変更する（ステップＳ１８）。
【００４８】
次に、特色オブジェクトの印刷又は保存が終了すると、ビューア９は、特色オブジェクト名管理部１６に対して、印刷／保存完了イベント通知を行う（ステップＳ２２）。この印刷／保存完了イベント通知を受信すると、特色オブジェクト名管理部１６は、クリア（Clear）の特色名に戻した特色オブジェクトの特色名を、再度、第１のクリア（Clear１）及び第２のクリア（Clear２）の特色名とする（ステップＳ１９）。これにより、上述のように、クリア単体の特色オブジェクトは青色でモニタ表示でき、また、擬似金の特色オブジェクトは、擬似金の色でモニタ表示できる。
【００４９】
（実施の形態の効果）
以上の説明から明らかなように、実施の形態の表示処理装置は、特色オブジェクト作成時には、例えば擬似金銀色等のようなクリア及びプロセスカラーで作成する特色オブジェクトで使用するクリアの特色名と、クリア単体の特色オブジェクトで使用するクリアの特色名とを、それぞれ異なる特色名とする。そして、クリア単体の特色オブジェクトに対しては、例えば青色等をクリアの表示色に設定する。また、擬似金銀色等の特色オブジェクトで用いるクリアに対しては、例えば無色透明の表示色を設定する。
【００５０】
これにより、クリア単体の特色オブジェクトは、例えば青色等でモニタ表示し、擬似金銀色等の特色オブジェクトは、無色透明のクリア層を介して、擬似金銀色そのものの色でモニタ表示できる。
【００５１】
また、実施の形態の表示処理装置は、印刷時又は保存時には、それぞれ異なる特色名とした各特色オブジェクトの特色名を、印刷装置側等で認識可能なクリアの特色名に戻して、印刷又は保存を行う。これにより、各特色オブジェクトのクリアの特色名をそれぞれ異なる特色名としたことで、印刷又は保存が困難となる不都合を防止できる。なお、印刷又は保存の完了後は、再び、各特色オブジェクトのクリアの特色名をそれぞれ異なる特色名とする。これにより、クリア単体の特色オブジェクトは、例えば青色等でモニタ表示し、擬似金銀色等の特色オブジェクトは、無色透明のクリア層を介して、擬似金銀色そのものの色でモニタ表示できる。
【００５２】
最後に、上述の実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。
【００５３】
例えば、上述の実施の形態の説明では、擬似金銀色を例に説明したが、プロセスカラーの特色オブジェクトにクリア色の特色オブジェクトを積層して形成される特色オブジェクトであれば、どのような特色でもよく、上述と同様の効果を得ることができる。
【００５４】
また、実施の形態及び実施の形態の変形は、発明の範囲や要旨に含まれると共に、特許請求の範囲に記載された発明とその均等の範囲に含まれるものである。
【符号の説明】
【００５５】
１  ＣＰＵ
２  ＶＲＡＭ
３  ＲＡＭ
４  ＨＤＤ
５  入出力インタフェース
６  表示部
７  入力デバイス
８  表示処理プログラム
９  ビューア
１０  コンテナ
１１  入力処理部
１２  記憶制御部
１３  表示制御部
１４  表示色設定部
１５  特色オブジェクト作成部
１６  特色オブジェクト名管理部
２００  ポスター
２１０  文字領域
２２０  縁部
【先行技術文献】
【特許文献】
【００５６】
【特許文献１】特開２０１３−２４６３３２号公報
【図１】
2020154177.tif 000003
【図２】
2020154177.tif 000004
【図３】
2020154177.tif 000005
【図４】
2020154177.tif 000006
【図５Ａ】
2020154177.tif 000007
【図５Ｂ】
2020154177.tif 000008
【図５Ｃ】
2020154177.tif 000009
【図５Ｄ】
2020154177.tif 000010
【図５Ｅ】
2020154177.tif 000011
【図５Ｆ】
2020154177.tif 000012
【図６】
2020154177.tif 000013
【図７】
2020154177.tif 000014
【図８】
2020154177.tif 000015
【図９】
2020154177.tif 000016
【図１０】
2020154177.tif 000017
【図１１】
2020154177.tif 000018
【図１２】
2020154177.tif 000019
【図１３】
2020154177.tif 000020
【図１４】
2020154177.tif 000021
【図１５】
2020154177.tif 000022
【図１６】
2020154177.tif 000023